(57)【特許請求の範囲】
【請求項１】
外周面に内輪軌道面を有する内輪と、
内周面に外輪軌道面を有する外輪と、
前記外輪軌道面と前記内輪軌道面との間に転動自在に配置された複数の転動体と、
前記内輪に取り付けられる第１のシール部材、及び前記外輪に取り付けられる第２のシール部材を有し、前記第１及び第２のシール部材の一方に設けられた弾性シール部材が、前記第１及び第２のシール部材の他方と摺接するシール装置と、
を備え、外輪回転で使用される外輪回転形転がり軸受であって、
前記内輪の肩部には、
該肩部の軸方向外端部における外周面に圧入固定され、前記肩部の外周面よりも径方向外側に延出する環状部材と、
前記環状部材よりも軸方向内側で、前記肩部に取り外し可能に取り付けられ、前記環状部材と協働して前記第１のシール部材を挟持して固定可能なシール部材固定用部材と、
が設けられ、
前記環状部材が圧入固定される前記肩部の外周面は、前記シール部材固定用部材が取り付けられる前記肩部の外周面よりも小径に形成され、
前記環状部材は、前記第１のシール部材が外嵌する円筒部と、該円筒部よりも軸方向外側で、該円筒部よりも径方向外側に延出する鍔部と、を有し、
前記シール部材固定用部材は、前記肩部に形成された段差部と、前記円筒部の軸方向内端面とで形成される装着用環状溝に取り付けられることを特徴とする外輪回転形転がり軸受。
【請求項２】
外周面に内輪軌道面を有する内輪と、
内周面に外輪軌道面を有する外輪と、
前記外輪軌道面と前記内輪軌道面との間に転動自在に配置された複数の転動体と、
前記内輪に取り付けられる第１のシール部材、及び前記外輪に取り付けられる第２のシール部材を有し、前記第１及び第２のシール部材の一方に設けられた弾性シール部材が、前記第１及び第２のシール部材の他方と摺接するシール装置と、
を備え、外輪回転で使用される外輪回転形転がり軸受であって、
前記内輪の肩部には、
該肩部の軸方向外端部に締結固定され、前記肩部の外周面よりも径方向外側に延出する環状部材と、
前記環状部材よりも軸方向内側で、前記肩部に取り外し可能に取り付けられ、前記環状部材と協働して前記第１のシール部材を挟持して固定可能なシール部材固定用部材と、
が設けられ、
前記環状部材は、前記第１のシール部材が外嵌する円筒部と、該円筒部よりも軸方向外側で、該円筒部よりも径方向外側に延出する鍔部と、を有し、
前記シール部材固定用部材は、前記肩部に形成された段差部と、前記円筒部の軸方向内端面とで形成される装着用環状溝に取り付けられることを特徴とする外輪回転形転がり軸受。
【請求項３】
前記環状部材は、前記内輪より硬さの低い材料からなることを特徴とする請求項１または請求項２に記載の外輪回転形転がり軸受。
【請求項４】
前記内輪は、軸方向に分割可能な一対の内輪部材を備え、
前記第１のシール部材は、前記内輪部材を前記転がり軸受から分離した後に、前記シール部材固定用部材を前記内輪部材から取り外すことで、前記内輪部材から取り外されることを特徴とする請求項１〜請求項３のいずれか１項に記載の外輪回転形転がり軸受。
【請求項５】
請求項１〜請求項４のいずれか１項に記載の外輪回転形転がり軸受を有するバッキングロールを備えることを特徴とする圧延機。 
【発明の詳細な説明】
【技術分野】
【０００１】
本発明は、外輪が回転し内輪が軸と共に回転を行わない外輪回転形転がり軸受、及び圧延機に関し、より詳細には、鉄鋼材製作のための圧延設備である多段式圧延機のバッキングロールに使用される外輪回転形転がり軸受及び圧延機に関する。
【背景技術】
【０００２】
例えば、鉄鋼材による板材を製造する圧延機は、圧延時に鉄鋼材を圧迫挟持して圧延するワークロールと、該ワークロールの軸方向の撓みを防止して均一な厚みの板材を得るため、ワークロールの外周面を転動自在に支える一または複数段の中間ロールと、該中間ロールをその外側で支えてワークロールの撓みを防止するバッキングロールからなる多段式の圧延機が多く用いられる。
【０００３】
センジマ圧延機は、主に電磁鋼板やステンレス鋼板など、硬く延びにくい鋼材を圧延するため、圧延するワークロールに過大な圧延力がかかり、ワークロールに掛かる過大な圧延力をサポートするため、複数のバッキングロールを必要とする。
【０００４】
バッキングロールを構成する軸受の外輪外周面は、定期的にリグラインドされるため、該軸受は圧延機から取り外される。そして、該軸受を圧延機から取り外した際には、軸受の分解洗浄も同時に行われる。
【０００５】
外輪回転形転がり軸受には、外部からの異物進入を防止するためにシール装置が設置されている。シール装置としては、内輪の外周面にシールド板を圧入して設置し、回転する外輪の内周面にＶ形シールを嵌め合わせて止め輪で固定し、Ｖ形シールとシールド板を摺動させて、軸受外部からの圧延油や異物などの進入を防止している（特許文献１参照。）。
【０００６】
また、特許文献２に記載の外輪回転形転がり軸受では、外輪の内周面に一方のシール部材が止め輪によって固定されるとともに、内輪の外周面に他方のシール部材が圧入固定され、いずれかのシール部材にシールリップを設け、さらに、他方のシール部材の外径部分に弾性部材を設けて、リグラインド時において内輪が分解された際の、他方のシール部材の損傷を抑制している。
【先行技術文献】
【特許文献】
【０００７】
【特許文献１】特開２００５−１４０１４７号公報（第２図）
【特許文献２】特開２００９−６３０９８号公報
【発明の概要】
【発明が解決しようとする課題】
【０００８】
ところで、特許文献１及び２に記載の外輪回転形転がり軸受では、シールド板やシール部材は圧入によって内輪の外周面に設置されているため、シールド板やシール部材の取り外しが困難であり、内輪にシールド板やシール部材が設置された状態で洗浄を行う必要があった。
【０００９】
本発明は、上述した事情に鑑みてなされたものであり、その目的は、内輪に固定されたシール部材が取り外し可能な構成であるとともに、搬送中などに内輪側に衝撃が加わった場合でも損傷を抑制することができる外輪回転形転がり軸受及び圧延機を提供することにある。
【課題を解決するための手段】
【００１０】
前述した目的を達成するために、本発明は下記の構成によって達成される。
（１）  外周面に内輪軌道面を有する内輪と、
内周面に外輪軌道面を有する外輪と、
前記外輪軌道面と前記内輪軌道面との間に転動自在に配置された複数の転動体と、
前記内輪に取り付けられる第１のシール部材、及び前記外輪に取り付けられる第２のシール部材を有し、前記第１及び第２のシール部材の一方に設けられた弾性シール部材が、前記第１及び第２のシール部材の他方と摺接するシール装置と、
を備え、外輪回転で使用される外輪回転形転がり軸受であって、
前記内輪の肩部には、
該肩部の軸方向外端部における外周面に圧入固定され、前記肩部の外周面よりも径方向外側に延出する環状部材と、
前記環状部材よりも軸方向内側で、前記肩部に取り外し可能に取り付けられ、前記環状部材と協働して前記第１のシール部材を挟持して固定可能なシール部材固定用部材と、
が設けられ、
前記環状部材が圧入固定される前記肩部の外周面は、前記シール部材固定用部材が取り付けられる前記肩部の外周面よりも小径に形成され、
前記環状部材は、前記第１のシール部材が外嵌する円筒部と、該円筒部よりも軸方向外側で、該円筒部よりも径方向外側に延出する鍔部と、を有し、
前記シール部材固定用部材は、前記肩部に形成された段差部と、前記円筒部の軸方向内端面とで形成される装着用環状溝に取り付けられることを特徴とする外輪回転形転がり軸受。
（２）  外周面に内輪軌道面を有する内輪と、
内周面に外輪軌道面を有する外輪と、
前記外輪軌道面と前記内輪軌道面との間に転動自在に配置された複数の転動体と、
前記内輪に取り付けられる第１のシール部材、及び前記外輪に取り付けられる第２のシール部材を有し、前記第１及び第２のシール部材の一方に設けられた弾性シール部材が、前記第１及び第２のシール部材の他方と摺接するシール装置と、
を備え、外輪回転で使用される外輪回転形転がり軸受であって、
前記内輪の肩部には、
該肩部の軸方向外端部に締結固定され、前記肩部の外周面よりも径方向外側に延出する環状部材と、
前記環状部材よりも軸方向内側で、前記肩部に取り外し可能に取り付けられ、前記環状部材と協働して前記第１のシール部材を挟持して固定可能なシール部材固定用部材と、
が設けられ、
前記環状部材は、前記第１のシール部材が外嵌する円筒部と、該円筒部よりも軸方向外側で、該円筒部よりも径方向外側に延出する鍔部と、を有し、
前記シール部材固定用部材は、前記肩部に形成された段差部と、前記円筒部の軸方向内端面とで形成される装着用環状溝に取り付けられることを特徴とする外輪回転形転がり軸受。
（３）前記環状部材は、前記内輪より硬さの低い材料からなることを特徴とする（１）または（２）に記載の外輪回転形転がり軸受。
（４）  前記内輪は、軸方向に分割可能な一対の内輪部材を備え、
前記第１のシール部材は、前記内輪部材を前記転がり軸受から分離した後に、前記シール部材固定用部材を前記内輪部材から取り外すことで、前記内輪部材から取り外されることを特徴とする（１）〜（３）のいずれかに記載の外輪回転形転がり軸受。
（５）  （１）〜（４）のいずれかに記載の外輪回転形転がり軸受を有するバッキングロールを備えることを特徴とする圧延機。 
【発明の効果】
【００１１】
本発明による外輪回転形転がり軸受によれば、内輪の肩部には、該肩部の軸方向外端部に固定され、肩部の外周面よりも径方向外側に延出する環状部材と、環状部材よりも軸方向内側で、肩部に取り外し可能に取り付けられ、環状部材と協働して第１のシール部材を挟持して固定可能なシール部材固定用部材と、が設けられる。これにより、シール部材固定用部材を取り外すことで、第１のシール部材を容易に内輪から取り外すことができ、また、シール部材固定用部材を取り付けることで、第１のシール部材を容易に固定することができる。また、第１のシール部材を挟持するため、内輪の肩部の軸方向外端部に位置する環状部材は内輪と別体に構成されているので、搬送中などに環状部材に衝撃が加わった場合でも、損傷を抑制することができる。
また、環状部材は、内輪より硬さの低い材料からなるので、搬送中などに環状部材に衝撃が加わった場合でも、損傷をより確実に抑制することができる。
【００１２】
さらに、外輪回転形転がり軸受を有するバッキングロールを備えた圧延機によれば、外輪の外周面をリグラインド時に、シール装置を取り外した軸受の分解洗浄を容易に行うことができる。
【図面の簡単な説明】
【００１３】
【図１】本発明の第１実施形態の外輪回転形転がり軸受が適用される多段式圧延機の斜視図である。
【図２】圧延機のバッキングロールを示す断面図である。
【図３】（ａ）は、本発明の外輪回転形転がり軸受の断面図であり、（ｂ）は、（ａ）のシール装置を示す要部拡大図である。
【図４】（ａ）は、本発明の第１のシール部材を固定するＣ形止め輪の側面図であり、（ｂ）は、（ａ）の端部を矢印ＩＶ方向から見た図であり、（ｃ）は、ＩＶ´部斜視図である。
【図５】（ａ）は、本発明の第２のシール部材を固定するＣ形止め輪の側面図であり、（ｂ）は、（ａ）の端部を矢印Ｖ方向から見た図であり、（ｃ）は、Ｖ´部斜視図である。
【図６】（ａ）〜（ｃ）は、本発明の外輪回転形転がり軸受を分解する過程を示す図である。
【図７】内輪から工具を使ってＣ形止め輪を取り外す状態を示す斜視図である。
【図８】外輪から工具を使ってＣ形止め輪を取り外す状態を示す斜視図である。
【図９】第１実施形態の変形例に係る外輪回転形転がり軸受の断面図である。
【図１０】（ａ）は、本発明の第２実施形態に係る外輪回転形転がり軸受の断面図であり、（ｂ）は、（ａ）のシール装置を示す要部拡大図である。
【発明を実施するための形態】
【００１４】
以下、本発明の外輪回転形転がり軸受に係る実施形態について図面を参照して詳細に説明する。
【００１５】
（第１実施形態）
図１は、本発明の第１実施形態の外輪回転形転がり軸受が適用される多段式圧延機の斜視図であり、図２は、圧延機のバッキングロールを示す断面図である。
【００１６】
多段式圧延機は、ハウジング１内に複数種の圧延ロール群が設けられており、搬送される鉄鋼材Ｐを、圧延ロール群によって均一な厚みに圧延する。圧延ロール群は、鉄鋼材Ｐを圧延する一対のワークロール２と、一対のワークロール２を回転自在に支持する複数の第１中間ロール３と、これら第１中間ロール３を回転自在に支持する複数の第２中間ロール４とを備えており、各第２中間ロール４は、複数のバッキングロール軸５（図２参照。）に組み付けられた、バッキングロールを構成する複数の転がり軸受１０によって回転自在に支持されている。なお、各バッキングロール軸５は、常時静止した状態（非回転状態）に維持されている。
【００１７】
転がり軸受１０は、図２及び図３に示すように、バッキングロール軸５に嵌合固定され、外周面に内輪軌道面１２ａ，１２ａをそれぞれ有する一対の内輪部材１２，１２からなる内輪（静止輪）１１と、内輪１１に対向して回転可能に配置され、内周面に一対の外輪軌道面１４ａ，１４ａを有する単一の外輪（回転輪）１４と、外輪軌道面１４ａ，１４ａと内輪軌道面１２ａ，１２ａとの間に転動自在に複列で配置された複数の円筒ころ（転動体）１６と、各円筒ころ１６を１つずつ等間隔に保持する保持器１８，１８と、外部からの異物進入を防止するために軸方向両側に設けられた一対のシール装置２０，２０と、を備え、外輪回転で使用される複列円筒ころ軸受である。なお、本実施形態では、軸方向中央部で２分割された保持器１８，１８が使用されているが、円環部の軸方向両端面に柱部がそれぞれ突設されている一体型の保持器であってもよい。
【００１８】
このような多段式圧延機において、転がり軸受１０の外輪１４は、複数の第２中間ロール４に圧接しており、当該第２中間ロール４と共に回転可能に位置決めされている。この場合、各外輪１４からの圧力が第２中間ロール４から第１中間ロール３を介して一対のワークロール２に作用することで、当該ワークロール２の撓みが防止されている。これにより、搬送される鉄鋼材Ｐは、一対のワークロール２によって均一な厚みに圧延される。
【００１９】
また、軸受潤滑機構は、転がり軸受１０がバッキングロール軸５に対し、その軸方向へ所定間隔で複数個組み付けられた多段式圧延機において、これらの軸受内部へ圧縮エアとともに潤滑剤を供給して潤滑を行っている。この際、潤滑方式としては、潤滑剤に潤滑油を使用し、当該潤滑油を空気の圧力差(差圧)を利用してミスト化させ、圧縮エアと混合させるとともに当該圧縮エアによって搬送させることで、当該ミスト化された潤滑油(オイルミスト)を転がり軸受１０に対して供給するオイルミスト方式が採用されている。なお、バッキングロール軸５に対して組み付けられる転がり軸受１０の数は、多段式圧延機の大きさなどに応じて任意に設定すればよいため、ここでは特に限定しない。
【００２０】
この場合、潤滑剤(潤滑油)は、図示しない潤滑剤供給源（潤滑油供給源）から圧縮エアとともに送出され、当該潤滑油供給源から軸受内部まで連通する潤滑油供給路を圧縮エアによって搬送されることで、転がり軸受１０に対して供給されている。
【００２１】
潤滑油供給路は、バッキングロール軸５に設けられ、潤滑油供給源(図示せず)と連通する軸経路５ａ，５ｂと、転がり軸受１０の内輪部材１２に設けられ、軸受内部と軸経路５ａ，５ｂとを連通させる軸受経路１２ｂ，１２ｂから構成されている。
【００２２】
具体的に、図２に示すように、バッキングロール軸５には、その軸心に沿って内部を貫通する軸経路としての主孔５ａが形成されているとともに、当該主孔５ａから径方向に沿ってバッキングロール軸５を放射状に貫通し、転がり軸受１０へ向けて分岐する軸経路としての分岐孔５ｂが形成されている。さらに、図３に示すように、転がり軸受１０には、２つの内輪部材１２，１２相互間を内径側から外径側まで径方向に沿って放射状に貫通し、分岐孔５ｂと連通するとともに、軸受内部に開口する軸受経路としての軸受溝１２ｂ，１２ｂが形成されている。
【００２３】
これにより、潤滑油供給源を始点として、主孔５ａを通り、当該主孔５ａから分岐孔５ｂへ分岐し、軸受溝１２ｂ，１２ｂを経由して軸受内部へ至る潤滑油供給路が形成される。なお、オイルミスト方式で潤滑油を飛散させるために必要な空気圧は約５ｋＰａである。
【００２４】
転がり軸受１０の各シール装置２０は、Ｃ形止め輪（シール部材固定用部材）２４によって内輪部材１２の肩部１２ｃに取り付け固定される第１のシール部材２１と、Ｃ形止め輪３３によって外輪軌道面１４ａの軸方向外側で外輪１４に取り付けられる第２のシール部材３０と、を備える。
【００２５】
第１のシール部材２１は、環状の芯金２２にゴム等の弾性材料からなる弾性シール部材（弾性部材）２３を被覆して構成されるＶ形シール部材である。芯金２２は、環状の円板部２２ａと、円板部２２ａの径方向内端部から軸方向内側へ屈曲して、さらに径方向内方へ延びる位置決め端部２２ｂと、を備える。また、弾性シール部材２３は、芯金２２の軸方向内側面を覆うと共に、円板部２２ａの外周面及び位置決め端部２２ｂの内周面を覆うように形成され、弾性シール部材２３のリップ２３ａは、第２のシール部材３０と摺接する。第１のシール部材２１の外径は、外輪１４の内周面との間に潤滑油を外部に放出させるすきまを形成するように設計される。また、リップ２３ａは、オイルミスト方式で使用される空気圧によって開くことで、外部へ潤滑油を放出する。
【００２６】
第２のシール部材３０は、第１のシール部材２１よりも軸方向内側に配置され、環状の芯金３１にゴム等の弾性材料からなる弾性シール部材３２を被覆して構成されるシールド板である。芯金３１は、弾性シール部材３２によってその軸方向内側面と外周面を覆われており、芯金３１の軸方向外側面に第１のシール材２１のリップ２３ａが摺接する。第２のシール部材３０の内径は、内輪部材１２の肩部１２ｃの外周面との間に潤滑油を外部に放出させるすきまを形成するように設計される。
【００２７】
内輪部材１２の肩部１２ｃは、外周面が軸方向外側に向かって２段階で縮径するように段差状に形成されている。そして、肩部１２ｃの軸方向外端部における外周面には、肩部１２ｃの軸方向内側の外周面よりも径方向外側に延出する環状部材２５が圧入固定される。環状部材２５は、第１のシール部材２１が外嵌する円筒部２５ａと、円筒部２５ａよりも軸方向外側で、円筒部２５ａよりも径方向外側に延出する鍔部２５ｂと、を有し、ＨＲＣ５０以上の材料からなる内輪部材１２より硬さの低い材料から形成される。
【００２８】
また、Ｃ形止め輪２４は、肩部１２ｃに形成された段差部１２ｄと、肩部１２ｃに固定された環状部材２５の円筒部２５ａの軸方向内端面とで形成される装着用環状溝１２ｆに取り付けられる。
環状部材２５が圧入固定される肩部１２ｃの外周面は、Ｃ形止め輪２４が取り付けられる肩部１２ｃの外周面よりも小径に形成されているので、環状部材２５が、肩部１２ｃの段差部分に突き当たるまで圧入されることで、所定の軸方向幅の装着用環状溝１２ｆが形成される。
【００２９】
従って、第１のシール部材２１を環状部材２５の円筒部２５ａに外嵌した状態で、装着用環状溝１２ｆにＣ形止め輪２４を装着することで、第１のシール部材２１がＣ形止め輪２４と環状部材２５の鍔部２５ｂの軸方向壁面との間に挟持されて固定される。また、第１のシール部材２１には、環状部材２５の外周面と接触する接触面が弾性シール部材２３の内周部分２３ｃによって構成されるので、第１のシール部材２１と環状部材２５との接触面でのシール性が向上している。
なお、装着用環状溝１２ｆより軸方向内側の肩部１２ｃの外周面は、第１のシール部材２１を取り外すことができるように、環状部材２５の円筒部２５ａの外周面の外径寸法以下に設定されている。
【００３０】
装着用環状溝１２ｆに装着された内輪側のＣ形止め輪２４は、該止め輪２４に空気圧が作用して第１のシール部材２１が傾かない程度の外径を有していればよく、本実施形態では、鍔部２５ｂの外周面と略同一外径を有している。これは、第１のシール部材２１が傾いてしまうと、圧延水が軸受内部に浸入し、潤滑不良を引き起こす。この結果、転がり軸受１０に剥離やロック状態が発生し、圧延機を停止させてしまう可能性があるためである。
【００３１】
図４に示すように、内輪側のＣ形止め輪２４は、両端部２４ａ，２４ａの間に開口部２４ｂを有し、両端部２４ａ，２４ａに軸方向に突出した突出部２４ｃ，２４ｃを有する。また、両端部２４ａ，２４ａは、残りの円弧部分２４ｄの内径より大きな内径を有して、円弧部分２４ｄの径方向厚さに対して薄肉に形成されている。
【００３２】
このため、Ｃ形止め輪２４が装着用環状溝１２ｆに装着された状態では、両端部２４ａ，２４ａは、環状溝１２ｆの外径側開口に嵌まることなく、該開口よりも径方向外側に位置し、突出部２４ｃ，２４ｃは、環状溝１２ｆに対して軸方向内側にずれて配置されている。
【００３３】
また、図３に戻って、外輪１４の内周面には、外輪軌道面１４ａより軸方向外側を拡径することで形成された段差部１４ｂと、段差部１４ｂの内周面１４ｃよりさらに大径で、Ｃ形止め輪３３が装着される装着用環状溝１４ｄとが形成されている。従って、第２のシール部材３０を段差部１４ｂに位置決めした状態で、装着用環状溝１４ｄにＣ形止め輪３３を装着することで、第２のシール部材３０が外輪１４に固定される。第２のシール部材３０においても、外輪１４の内周面と接触する接触面が弾性シール部材３２の外周部分３２ａによって構成されるので、第２のシール部材３０と外輪１４の内周面との接触面でのシール性が向上している。
【００３４】
図５に示すように、外輪側のＣ形止め輪３３は、両端部３３ａ，３３ａの間に開口部３３ｂを有し、両端部３３ａ，３３ａに軸方向に突出した突出部３３ｃ，３３ｃを有する。また、両端部３３ａ，３３ａは、残りの円弧部分３３ｄの外径より小さな外径を有して、円弧部分３３ｄの径方向厚さに対して薄肉に形成されている。
【００３５】
このため、Ｃ形止め輪３３が装着用環状溝１４ｄに装着された状態では、両端部３３ａ，３３ａは、環状溝１４ｄの内径側開口に嵌まることなく、該開口よりも径方向内側に位置し、突出部３３ｃ，３３ｃは、環状溝１４ｄに対して軸方向外側にずれて配置されている。
【００３６】
ここで、バッキングロールを圧延機から取り外して、外輪１４の外周面をリグラインドする際に、転がり軸受１０を洗浄するため分割する工程について説明する。
図６（ａ）に示すように、まず、バッキングロール軸５から取り外された転がり軸受１０は、一対の内輪部材１２，１２を第１のシール部材２１及びＣ形止め輪２４が取り付けられた状態のまま軸方向に分解する。そして、図６（ｂ）に示すように、分解した内輪部材１２は、Ｃ形止め輪２４の軸方向に突出する突出部２４ｃにマイナスドライバー等の工具Ｔを引っ掛ける（図７参照。）ことで、内輪部材１２の装着用環状溝１２ｆからＣ形止め輪２４を取り外す。その後、第１のシール部材２１は、内輪部材１２から取り外される。
【００３７】
また、図６（ｃ）に示すように、円筒ころ１６及び保持器１８が取り付けられた状態の外輪１４では、Ｃ形止め輪３３の軸方向に突出する突出部３３ｃに工具Ｔを引っ掛ける（図８参照。）ことで、外輪１４の装着用環状溝１４ｄからＣ形止め輪３３を取り外す。その後、第２のシール部材３０が外輪１４から取り外される。また、外輪１４から円筒ころ１６及び保持器１８を順に外す。
【００３８】
その後、外輪１４のリグラインドや、転がり軸受１０の各構成部品の洗浄が行われた後は、上記工程と逆の順番で組み立てていけばよい。即ち、第２のシール部材３０は、Ｃ形止め輪３３を環状溝１４ｄに嵌めることで再度取り付け固定することができ、第１のシール部材２１はＣ形止め輪２４を環状溝１２ｆに嵌めることで再度取り付け固定することができる。
【００３９】
ここで、内輪部材１２では、圧入固定された環状部材２５が肩部１２ｃの外周面から径方向外側に突出しており、洗浄のための搬送中などに他の部品と衝突する可能性があるが、環状部材２５は内輪部材１２とは別体の部品であり、また、硬さも低いことから、衝撃が加わった場合でも、損傷を抑制することができる。
【００４０】
以上説明したように、本実施形態の外輪回転形転がり軸受１０によれば、内輪部材１２の肩部１２ｃには、該肩部１２ｃの軸方向外端部に固定され、肩部１２ｃの外周面よりも径方向外側に延出する環状部材２５と、環状部材２５よりも軸方向内側で、肩部１２ｃに取り外し可能に取り付けられ、環状部材２５と協働して第１のシール部材２１を挟持して固定可能なＣ形止め輪２４と、が設けられる。これにより、Ｃ形止め輪２４を取り外すことで、第１のシール部材２１を容易に内輪部材１２から取り外すことができ、また、Ｃ形止め輪２４を取り付けることで、第１のシール部材２１を容易に固定することができる。また、第１のシール部材２１を固定するため、内輪部材１２の肩部１２ｃの軸方向外端部に位置する環状部材２５は内輪部材１２と別体に構成されているので、搬送中などに軸方向外側に位置する環状部材２５に衝撃が加わった場合でも、損傷を抑制することができる。また、環状部材２５は、内輪部材１２より硬さの低い材料からなるので、衝撃によって損傷し難い。
【００４１】
さらに、外輪回転形転がり軸受１０を有するバッキングロールを備えた圧延機によれば、外輪の外周面をリグラインド時に、シール装置２０を取り外した軸受の分解洗浄を容易に行うことができる。
【００４２】
また、環状部材２５は、肩部１２ｃの軸方向外端部における外周面に圧入固定され、環状部材２５が圧入固定される肩部１２ｃの外周面は、Ｃ形止め輪２４が取り付けられる肩部１２ｃの外周面よりも小径に形成され、環状部材２５は、第１のシール部材２１が外嵌する円筒部２５ａと、円筒部２５ａよりも軸方向外側で、円筒部２５ａよりも径方向外側に延出する鍔部２５ｂと、を有し、Ｃ形止め輪２４は、肩部１２ｃに形成された段差部１２ｄと、円筒部２５ａの軸方向内端面とで形成される装着用環状溝１２ｆに取り付けられる。従って、環状部材２５を肩部１２ｃの外周面に圧入することで装着用環状溝１２ｆが構成され、装着用環状溝１２ｆにＣ形止め輪２４を取り付けることで、第１のシール部材２１を内輪部材１２に確実に取り付け固定することができ、また、Ｃ形止め輪２４を取り外すことで、第１のシール部材２１を容易に取り外すことができる。さらに、肩部１２ｃの外周面も容易に加工することができる。
【００４３】
また、第１実施形態の変形例として、図９に示すように、内輪１１の側で２列の円筒ころ１６の間に、浮輪４０が配置されてもよい。浮輪４０は、合金鋼等の鋼材で断面形状を内側に凸部を有する凸形状とし、外周面の軸方向の幅を外輪鍔部１４ｅの軸方向の幅と略同等とし、その凸部の内周面の幅を内輪部材１２，１２の内周面に形成される軸受溝１２ｂ、１２ｂの幅より小さくし、その凸部の両側の側面を内周面の幅から半径方向に広がるテーパ面として成形する。この浮輪４０は、内輪部材１２，１２の肩部１２ｃ、１２ｃ、外輪鍔部１４ｅと連携してそれぞれの列の円筒ころ１６の軸方向の動きを制限すると共に円筒ころ１６の斜行を防止する。
【００４４】
（第２実施形態）
図１０は、本発明の第２実施形態に係る外輪回転形転がり軸受１０ａを示している。なお、本実施形態は、内輪部材１２及び環状部材２５´の構成において、第１実施形態のものと異なる。
【００４５】
本実施形態では、内輪部材１２は、その軸方向外端部が外輪１４の軸方向外端部よりも軸方向内側に位置するように寸法設計されており、また、その肩部１２ｃは、外周面が軸方向外側に向かって縮径するように段差状に形成されている。
【００４６】
また、本実施形態の環状部材２５´は、軸方向内側内周面が肩部１２ｃの縮径した外周面に嵌合しつつ、肩部１２ｃの軸方向外端部にねじ２６によって締結固定される。環状部材２５´は、第１のシール部材２１が外嵌する円筒部２５ａと、円筒部２５ａよりも軸方向外側で、円筒部２５ａよりも径方向外側に延出する鍔部２５ｂと、を有し、ＨＲＣ５０以上の材料からなる内輪部材１２より硬さの低い材料から形成される。
【００４７】
また、Ｃ形止め輪２４は、肩部１２ｃに形成された段差部１２ｄと、肩部１２ｃに固定された環状部材２５´の円筒部２５ａの軸方向内端面とで形成される装着用環状溝１２ｆに取り付けられる。
【００４８】
その他の構成及び作用については、第１実施形態と同様であり、第１実施形態と同様の手順で、外輪１４のリグラインド及び転がり軸受１０の洗浄のための分解、組立が行われる。
【００４９】
従って、本実施形態の外輪回転形転がり軸受１０ａにおいても、このＣ形止め輪２４を取り外すことで、第１のシール部材２１を容易に内輪部材１２から取り外すことができ、また、Ｃ形止め輪２４を取り付けることで、第１のシール部材２１を容易に固定することができる。また、第１のシール部材２１を固定するため、内輪部材１２の肩部１２ｃの軸方向外端部に位置する環状部材２５´は内輪部材１２と別体に構成されているので、搬送中などに軸方向外側に位置する環状部材２５´に衝撃が加わった場合でも、損傷を抑制することができる。また、環状部材２５´は、内輪部材１２より硬さの低い材料からなるので、衝撃によって損傷し難い。
【００５０】
さらに、環状部材２５´は、肩部１２ｃの軸方向外端部に締結固定され、環状部材２５´は、第１のシール部材２１が外嵌する円筒部２５ａと、円筒部２５ａよりも軸方向外側で、円筒部２５ａよりも径方向外側に延出する鍔部２５ｂと、を有し、Ｃ形止め輪２４は、肩部１２ｃに形成された段差部１２ｄと、円筒部２５ａの軸方向内端面とで形成される装着用環状溝１２ｆに取り付けられる。従って、環状部材２５´を肩部１２ｃの軸方向外端部に締結固定することで装着用環状溝１２ｆが構成され、装着用環状溝１２ｆにＣ形止め輪２４を取り付けることで、第１のシール部材２１を内輪部材１２に確実に取り付け固定することができ、また、Ｃ形止め輪２４を取り外すことで、第１のシール部材２１を容易に取り外すことができる。
【００５１】
なお、本発明は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。また、上述した各実施形態は、実施可能な範囲において組み合わせて適用可能である。
【００５２】
本発明のシール部材固定用部材は、本実施形態の止め輪に限定されるものでなく、ボルト等の他の部材を使用して第１のシール部材を固定してもよい。
また、本発明の外輪回転形転がり軸受は、本実施形態では、複列の転がり軸受としたが、単列や軸方向に３列または４列の多列の転がり軸受であってもよい。また、本実施形態では、転動体を円筒ころとした円筒ころ軸受を用いて説明したが、転動体を円錐ころとした円錐ころ軸受や玉とした玉軸受等、任意の転がり軸受に適用できる。
【００５３】
また、本発明の転がり軸受は、本実施形態では、外輪が回転、内輪が静止状態で、外輪が直接ロールとして使用される多段圧延機のバッキングロール部に適用されているが、鉄鋼設備・多段圧延機に使用される各種の転がり軸受に適用できる。本発明は、他に一般産業（製紙工場、発電プラント（風力、火力）等や、車両（鉄道、建設機械、運搬機械）などに使用される全ての転がり軸受に対して適用可能である。
【符号の説明】
【００５４】
５  バッキングロール軸
１０，１０ａ  外輪回転形転がり軸受
１１  内輪
１２  内輪部材
１２ａ  内輪軌道面
１２ｃ  肩部
１２ｄ  段差部
１２ｆ  装着用環状溝
１４  外輪
１４ａ  外輪軌道面
１６  円筒ころ（転動体）
１８  保持器
２０  シール装置
２１  第１のシール部材
２２  芯金
２３  弾性シール部材（弾性部材）
２４，３３  Ｃ形止め輪
２５，２５´  環状部材
３０  第２のシール部材
３１  芯金
３２  弾性シール部材（弾性部材）
【図１】
0005760491.tif 000002
【図２】
0005760491.tif 000003
【図３】
0005760491.tif 000004
【図４】
0005760491.tif 000005
【図５】
0005760491.tif 000006
【図６】
0005760491.tif 000007
【図７】
0005760491.tif 000008
【図８】
0005760491.tif 000009
【図９】
0005760491.tif 000010
【図１０】
0005760491.tif 000011